(57)【特許請求の範囲】
【請求項１】
カメラ本体の前面に設けられた撮影レンズを覆う閉じ位置と撮影レンズを露呈させる撮影位置との間で移動自在な金属製のスライドカバーを備え、このスライドカバーを撮影位置に移動させることによって、カメラ本体に組み込まれた測距用投光部又は受光部の前面にスライドカバーに形成された測距用の開口が位置するようにしたカメラにおいて、
スライドカバーの内面に前記開口を覆うように測距光を透過する窓部材を固着するとともに、この窓部材にカメラ本体の表面との摺接によりスライドカバーが前記２位置間で移動するときのガイド突起を一体に設けたことを特徴とするカメラ。
【請求項２】
前記窓部材及びガイド突起は、スライドカバーの内面側で前記開口の幅よりもスライドカバーの移動方向に沿って長いことを特徴とする請求項１記載のカメラ。
【発明の詳細な説明】
【０００１】
【発明の属する技術分野】
本発明はスライドカバーを備えたカメラに関するものである。
【０００２】
【従来の技術】
特開平１１−２３１３７６号公報記載のように、カメラ本体の一方の側面側に箱型形状をしたスライドカバーを被せたカメラが知られている。このスライドカバーを右方にスライド操作して閉じ位置から撮影位置に移動させると、カメラ本体の前面に設けられた撮影レンズが露呈し、また引き出したスライドカバーを右手で把持してグリップとしても利用することができる。これにより、グリップしている右手が撮影レンズから離れるので、いわゆる指がかり撮影を防ぐことができる。
【０００３】
カメラ本体に対してスライドカバーを円滑にかつガタなくスライドさせることができるように、カメラ本体の表面とスライドカバーの内面との間には、スライドガイドが設けられている。スライドガイドには、スライドカバーがそのスライド方向以外に動いたり傾いたりすることを防ぐ機能が要求されるため、カメラ本体側あるいはスライドカバーの少なくともいずれかにはスライド方向に延びたガイドレールが用いられ、他方にはこのガイドレールの段差部分に摺接する凹凸ガイド部が設けられている。
【０００４】
【発明が解決しようとする課題】
ところが、カメラの外観デザインを向上させるために、スライドカバーをチタンやアルミニウムなどの金属製にする場合には、スライドカバーそのものの内面に精度の高い細かい加工を施すことが難しく、ガイドレールや凹凸ガイド部を設けることが非常に面倒である。したがって、スライドカバーの内面に別部品からなるガイドレールや凹凸ガイド部を固着することが必要になるが、その場合にはこれらの部品の位置決めがしにくくなる。
【０００５】
本発明は上記問題を解決するためになされたもので、金属製のスライドカバーを用いながらも、そのスライドガイドを少ない部品点数で効率的に組み込めるようにしたカメラを提供することを目的とする。
【０００６】
【課題を解決するための手段】
本発明は上記目的を達成するにあたり、スライドカバーを撮影位置に移動させたとき、カメラ本体に組み込まれた測距用の投光部又は受光部の前面を露呈させる開口がスライドカバーに形成され、さらにこの開口には、防塵のために測距光に対して透明な窓部材が固着されることに着目し、この窓部材にスライドカバー移動時のガイドとなるガイド突起を一体に設けたものである。窓部材はスライドカバーに形成された開口を利用して位置決めされるので、信頼性の高いガイド作用が得られ、また窓部材及びガイド突起をスライドカバーの内面側で前記開口の幅よりも長くしておくことも有効な手段である。
【０００７】
【発明の実施の形態】
図１に本発明を用いたカメラの使用時の外観を示す。カメラ２はカメラ本体３とスライドカバー４とからなる。スライドカバー４は、カメラ本体３の外形形状に合わせて略箱型形状をしており、右手グリップ側からカメラ本体３に被せられている。スライドカバー４はアルミニウム薄板をしぼり加工して作られ、図示のように撮影位置にスライド操作すると、ストロボ発光部５が図示位置に回動して電源スイッチがオンし、撮影レンズ６が組み込まれた鏡胴７が沈胴位置から突出する。
【０００８】
スライドカバー４には、その上面にシャッタボタン８が、また前面に測距用の受光窓９が設けられている。スライドカバー４を撮影位置に移動させることによってシャッタボタン８はその押圧操作が有効になる位置に移動し、また受光窓９はカメラ本体３に組み込まれた受光部の前面に移動する。スライドカバー４はこの撮影位置でロックされており、撮影時には右手グリップとして使用することができる。
【０００９】
ストロボ発光部５を、その発光面が下向きになるように回動させるとストロボ発光部５がその収納位置に係止される。これとともに鏡胴７が図示位置から沈胴位置へと後退し、また撮影位置でのロックが解除され、スライドカバー４を閉じ位置に向かって図中右方向にスライド操作することができる。閉じ位置では、ストロボ発光部５や撮影レンズ６が完全に覆われ、ほぼ箱型形状したコンパクトな形態になる。
【００１０】
また、スライドカバー４を撮影位置に移動させた後、ロック解除つまみ１２を操作したままその位置に保持しておくと、スライドカバー４の撮影位置でのロックが解除される。そして、スライドカバー４をさらに図中左方向にスライド操作してフイルムカートリッジの装填位置まで移動させることができる。この装填位置ではカメラ本体３の底面に装填蓋が露呈し、これを開いてフイルムカートリッジの取り出し，装填が可能となる。なお、カメラ本体３には、さらにファインダ対物窓１３，測光窓１７が設けられている。
【００１１】
シャッタボタン１３の半押しにより被写体距離を測定し、測定された被写体距離に対応して撮影レンズ６を自動的にピント合わせすることができるように、カメラ本体３にはオートフォーカス装置が組み込まれている。被写体距離の測定は、ファインダ対物窓１３の脇に設けられた投光窓１４から被写体に向かって測距光（近赤外光）を投光し、被写体で反射された測距光をスライドカバー４の受光窓９を通して受光することによって行われる。投光窓７及び受光窓９には、それぞれ測距光を透過し可視光のほとんどを吸収するプラスチック製の窓部材が用いられており、投光部及び受光部が直接外観に現れることを防ぐとともに、塵埃などが内部に入ることを防いでいる。
【００１２】
なお、測距用の受光部を鏡筒７の近傍に組み込み、スライドカバー４を撮影位置に移動したときに撮影レンズ６などとともに前面に露呈させるようにした場合には、スライドカバー４に受光窓を設けなくても済むようになる。しかし、測距の基線長を長くして測距の精度を向上させる上では、この実施形態のように、スライドカバー４を撮影位置に移動させた状態でもスライドカバー４で覆われる位置に受光部を組み込み、スライドカバー４に設けた受光窓９を利用して測距することが有効である。
【００１３】
受光窓９の要部縦断面を図２に示す。受光窓９は、スライドカバー４に形成された開口１５と、この開口１５に嵌め込んで固定された窓部材１６とからなる。カメラ本体３には、スライドカバー４を撮影位置に移動させたときに、受光窓９と重なる位置に測距用受光部を構成する受光レンズ１８，受光素子１９が組み込まれている。図１にも示すように、窓部材１６は、スライドカバー４の内面側で開口１５の横幅よりも充分に長い形状となっている。
【００１４】
図２において、窓部材１６には、開口１５に対応した形状で前面側に突出した段部１６ａが一体成形形成されている。窓部材１６はスライドカバー４の内面側から嵌め込まれ、スライドカバー４の内面に接着剤によって固着される。このとき、開口１５と段部１６ａとの嵌め合わせにより窓部材１６はスライドカバー４に精度よく位置決めされる。
【００１５】
窓部材１６の背面側に、紙面と垂直な方向に延びたガイド突起１６ｂが一体に形成され、カメラ本体３の前面に接している。なお、ガイド突起１６ｂの高さは、カメラ本体３の背面とスライドカバー４の内面との間に設けられた同様のスライドガイドとの関係を考慮して設定されている。
【００１６】
スライドカバー４を閉じ位置と撮影位置との間でスライド操作するときには、窓部材１６に形成されたガイド突起１６ｂがカメラ本体３の前面と常に摺接することになるため、安定したガイド作用を得ることができる。しかも、ガイド突起１６ｂはスライドカバー４の移動方向に沿って長くなっているから、スライドカバー４を撮影位置まで開いた場合でも、カメラ本体３前面との摺接長さも充分確保でき、スライドカバー４がカメラ本体３の前後方向に傾くこともない。
【００１７】
以上、図示した実施形態をもとに本発明について説明してきたが、受光窓９と投光窓１４とを入れ換えても全く同様の作用を得ることができる。また、窓部材１６及びガイド突起１６ｂをスライドカバー４のスライド方向に沿って細長く設ける場合に、ガイド突起１６ｂは必ずしも突条にしなくてもよく、例えば断続的に並べられた複数個の突起で構成することも可能である。
【００１８】
【発明の効果】
上述のように、本発明によれば、スライドカバーに固着される測距用の窓部材にガイド突起を一体成形し、これによりスライドカバーとカメラ本体との間のガイド作用を得るようにしたから、特に部品点数や組み立て工数を増やすことなく、スライドカバーの操作性を円滑かつ安定したものにすることができる。
【図面の簡単な説明】
【図１】本発明を用いたカメラの外観図である。
【図２】図１に示すカメラの要部概略断面図である。
【符号の説明】
３  カメラ本体
４  スライドカバー
９  受光窓
１４  投光窓
１５  開口
１６  窓部材
１６ｂ  ガイド突起
【図１】
0003877263.tif 000002
【図２】
0003877263.tif 000003